(57)【要約】
【課題】焼却炉の開閉蓋を閉じることによって開閉蓋と周壁部を自動ロックできて、施行規則に遵守できる構成にすること。
【解決手段】焼却炉Ｍは、周壁部３の上部開口部に対して開閉可能に構成する開閉蓋２５を備えている。開閉蓋２５の上カバー２２には支持枠３６を介してロックレバー３３を配置する。ロックレバー３３は上部で枢支ピン３７に支承され、下部にフック部３３２を有して、周壁部３の上部に配置する係止ピン３５に掛止可能に形成する。ロックレバー３３のフック部３３２の先端を、湾曲状に形成して掛止ピン３７に対して相対的に移動案内する。開閉蓋２５を上方位置から徐々に下ろすことによって、ロックレバー３３を掛止ピン３７に自動的に係止させる
【選択図】図３                                                                               
0003099103.tif 000002
【実用新案登録請求の範囲】
【請求項１】
底壁部・周壁部・天井壁部を含む炉本体と、前記周壁部の上方に配置されて前記周壁部の上部開口部に対して開閉可能に支承される開閉蓋とを備える焼却炉における自動ロック装置であって、
　前記開閉蓋は、前記天井壁部と前記天井壁部を覆う上カバーとを含んで前記周壁部に配置されたヒンジ部に回動可能に支承されるとともに、前記上カバーには、前記上カバーに対して一端を枢支して他端に一方の方向に突出するフック部を備えたロック爪が垂下するように支承され、
　前記開閉蓋が前記周壁部の上部開口部を閉塞する際、前記ロック爪のフック部が、前記周壁部に配設された係止ピンに自動的に係止可能に作用されることを特徴とする焼却炉における自動ロック装置。
【請求項２】
前記ロック爪及び前記係止ピンが、前記開閉蓋の回動中心部位付近に配置されていることを特徴とする請求項１記載の焼却炉における自動ロック装置。
【請求項３】
前記ロック爪及び前記係止ピンが、前記開閉蓋の回動中心部位から離れた位置に配置されていることを特徴とする請求項１記載の焼却炉における自動ロック装置。
【請求項４】
前記ロック爪が、前記係止ピンに係止する方向に牽引部材で牽引されていることを特徴とする請求項１，２又は３記載の焼却炉における自動ロック装置。
【請求項５】
前記牽引部材は、前記ロック爪を牽引する位置と前記ロック爪を係止ピンから開放する位置との２位置に移動可能に配置されていることを特徴とする請求項４記載の焼却炉における自動ロック装置。
【請求項６】
前記ロック爪が前記係止ピンと係止している状態で、前記開閉蓋が開方向に回動することを防止する防止部材が、前記ロック爪の背部付近に配置されていることを特徴とする請求項１，２又は３記載の焼却炉における自動ロック装置。
【請求項７】
前記防止部材が前記ロック爪の背部付近に配置するロック爪回動規制ピンであり、前記ロック爪が前記ロック爪回動規制ピンを回避可能に、前記枢支ピンの軸方向に移動可能に構成されていることを特徴とする請求項６記載の焼却炉における自動ロック装置。
【考案の詳細な説明】
【技術分野】
【０００１】
　本考案は、焼却炉の自動ロック装置に関し、特に、焼却物を１回分燃焼させた後、次の焼却物を投入するバッチ式の焼却炉における自動ロック装置に関する。
【背景技術】
【０００２】
　一般に、焼却炉において、焼却物を完全燃焼させて無煙・無臭で焼却するためには、高温（８００℃以上）で行う必要があり、また、一次燃焼で発生した排気ガスを二次燃焼させることによって排気ガスを無煙・無臭で排気することができる。例えば、従来のバッチ式の焼却炉は特許文献１によって知られているものがある。これによると、焼却炉は、底壁部・周壁部・天井壁部を備える炉本体を有して構成されている。周壁部の外周側にはダクトが配置され、下部に配置された送風機からダクトを介して空気を周壁部内に送風する。また、周壁部内には邪魔板が配置され、周壁部内で燃焼する空気をダクトから邪魔板の下方に向けて送風する下ノズルと、邪魔板の上方に空気を送風する上ノズルとが配置されるとともに、周壁部内で燃焼された焼却物が排気ガスを発生させ、発生された排気ガスは邪魔板の上方に流入して、邪魔板の上方でノズルによって送風された空気によって二次燃焼が行われる。二次燃焼した排気ガスはさらに邪魔板の上方に配置されたフードに向かって流れるとともにフードに配置された空気取り入れ口から供給された空気によって三次燃焼が行われて無煙・無臭となって上方から排気されていた。
【０００３】
　一方、天井壁部とフードそして天井壁部を覆う上部カバーを含んで開閉蓋が構成され、周壁部に配置されたヒンジ部に開閉可能に支承されている。そして１回目に投入された焼却物が完全に燃焼し終えた後で、開閉蓋を開いて次の焼却物を投入して再び燃焼することとなっていた。
【特許文献１】実用新案登録第３０９１６９７号公報(４〜１０頁、図１参照)
【考案の開示】
【考案が解決しようとする課題】
【０００４】
　しかし、近年、ゴミを焼却する際に、環境を保護する目的のために焼却物の燃焼中には、次の焼却物を投入しないようにする法律施行規則が定められるようになった。これによると、燃焼中には外気を遮断するように開閉蓋を閉塞した状態にする、つまり焼却物が完全に燃え尽きるまでに次の焼却物を投入することができないように焼却炉を構成しなければならないこととなった。
【０００５】
　図１６に示すように、従来の焼却炉Ｍ１に配置されて開閉蓋２５をロックする構成は、開閉蓋２５の上カバー２２と周壁部３の外周を覆うメッシュ状の保護カバー８とを繋ぐ手動用のロック部材６０でロックするようにしていた。このロック部材６０は、一端にフック部材６１を取り付けた可撓性部材６２で形成され、他端を保護カバー８の網目部にリング部６３で巻き付けた状態で、開閉蓋２５を閉じた後、フック部材６１で上カバー２２に取り付けた掛止部６４に掛止できるようにしている。この手動用のロック部材６０は、着脱可能に操作する手間がかかることから、ロック部材６０を係止することなく燃焼をさせたり、燃焼中に、係止されているロック部材６０を外して新たな焼却物を投入したりすることから、新たに制定された施行規則を遵守できない虞れがあった。
【課題を解決するための手段】
【０００６】
　本考案は、上述の課題を解決するものであり、開閉蓋を閉じると、開閉蓋と周壁部とが自然に係止され、一旦、係止すると脱着しにくいように構成された焼却炉における自動ロック装置を提供することを目的とするものであり、本考案は、上記の課題を解決するために、以下のように構成するものである。
【０００７】
　請求項１記載の考案では、底壁部・周壁部・天井壁部を含む炉本体と、前記周壁部の上方に配置されて前記周壁部の上部開口部に対して開閉可能に支承される開閉蓋とを備える焼却炉における自動ロック装置であって、
　前記開閉蓋は、前記天井壁部と前記天井壁部を覆う上カバーとを含んで前記周壁部に配置されたヒンジ部に回動可能に支承されるとともに、前記上カバーには、前記上カバーに対して一端を枢支して他端に一方の方向に突出するフック部を備えたロック爪が垂下するように支承され、
　前記開閉蓋が前記周壁部の上部開口部を閉塞する際、前記ロック爪のフック部が、前記周壁部に配設された係止ピンに自動的に係止可能に作用されることを特徴とするものである。
【０００８】
　また、請求項２記載の考案では、前記ロック爪及び前記係止ピンが、前記開閉蓋の回動中心部位付近に配置されていることを特徴としている。
【０００９】
　また、請求項３記載の考案では、前記ロック爪及び前記係止ピンが、前記開閉蓋の回動中心部位から離れた位置に配置されていることを特徴としている。
【００１０】
　さらに、請求項４記載の発明では、前記ロック爪が、前記係止ピンに係止する方向に牽引部材で牽引されていることを特徴としている。
【００１１】
　また、請求項５記載の考案では、前記牽引部材は、前記ロック爪を牽引する位置と前記ロック爪を係止ピンから開放する位置との２位置に移動可能に配置されていることを特徴としている。
【００１２】
　また、請求項６記載の考案では、前記ロック爪が前記係止ピンと係止している状態で、前記開閉蓋が開方向に回動することを防止する防止部材が、前記ロック爪の背部付近に配置されていることを特徴としている。
【００１３】
　さらに、請求項７記載の考案では、前記防止部材が前記ロック爪の背部付近に配置するロック爪回動規制ピンであり、前記ロック爪が前記ロック爪回動規制ピンを回避可能に、前記枢支ピンの軸方向に移動可能に構成されていることを特徴としている。
【考案の効果】
【００１４】
　請求項１に係る考案の焼却炉における自動ロック装置では、炉本体内に焼却物を投入した後、開閉蓋を徐々に閉じると、上カバーに配置されたロック爪は、回動可能に支承されていることから自重によって垂下されたまま下方に移動する。開閉蓋が周壁部の上端付近に達すると、ロック爪は周壁部の上端付近に配置されている係止ピンに先端部が当接して係止ピンから離れるように回動する。
【００１５】
　ロック爪の先端部において、鉤状に形成されているフック部が係止ピンと対向した状態で、ロック爪が係止ピンから退避する方向に回動することになり、ロック爪が回動することによってロック爪の先端部が係止ピンから離れると同時に、開閉蓋の下降とともにロック爪の先端部が係止ピンより下方に移動することとなる。下方に移動したロック爪はフック部が係止ピンを越えると重心が垂直方向に向くように移動することよって、ロック爪が係止ピン側に倒れて、フック部が係止ピンに係止してロックすることとなる。
【００１６】
　一旦、ロックしたロック爪は、手動で係止ピンから外さない限りは係止解除できないことから、周壁部が手で触れる程度の温度になった時点、つまり、焼却物が完全に焼却されて所定時間経過した後で、ロック爪を係止解除する操作を行うこととなる。
【００１７】
　従って、本装置では、１回の焼却が終了して、温度が低下した後、開閉蓋を開けて次の焼却物を投入することとなるから、施行規則に遵守する構成とすることができる。
【００１８】
　また、請求項２乃至３記載の考案では、ロック爪と係止ピンとの配置が、開閉蓋の回動中心となるヒンジ部の付近で構成できれば、ロック爪を支持する支持部材あるいは係止ピンを支持する支持部材等が、ヒンジ部を支持する支持部材等を兼用できてコストを廉価にすることができ、また、ロック爪と係止ピンとの配置が、開閉蓋の回動中心となるヒンジ部から離れた位置に構成できれば、ロック爪と係止ピンとの間に形成される隙間が大きくても、そのガタによる開閉蓋の周壁との隙間を大きくすることなく、その隙間から燃焼中に新たな焼却物を投入することができない。
【００１９】
　請求項４乃至５記載の考案では、ロック爪が係止ピンに係止した状態で、手動では係止解除できないように牽引部材で牽引されている。この牽引部材を、牽引位置と牽引解除位置との２位置を移動可能に配置すれば、開閉蓋を閉塞して焼却物を燃焼している間、牽引部材を牽引位置に移動させることによって、牽引部材の付勢力を強くしてロック爪を係止ピンから解除させないようにし、また牽引部材を牽引解除位置に移動させることによって、次の焼却物を投入するために牽引部材の付勢力を弱めて、ロック爪を係止ピンから解除して牽引部材を取り外せば、容易に開閉蓋を開放することができる。
【００２０】
　また、請求項６乃至７記載の考案によれば、ロック爪が係止ピンに係止した状態では、たとえ、手動によってロック爪を係止ピンから係止解除させようとしても、ロック爪の開放を防止する防止部材が配設されていることによって、ロック爪は開閉蓋を開放する方向には回動させることがないことから、燃焼中に新たな焼却物を投入することを防止することができる。この場合、投入されている焼却物が完全に燃焼し終えたら、ロック爪を、ロック爪逆回動規制ピンを回避するように操作して、開閉蓋を開放する方向に移動することによって、前に投入された焼却物が完全燃焼した後、開閉蓋を開けて新たな焼却物を投入して燃焼させることとなる。
【考案を実施するための最良の形態】
【００２１】
　本考案は、バッチ式の焼却炉、つまり、１回ごと焼却物を焼却炉内に投入して完全燃焼した後、次の焼却物を新たに焼却炉内に投入して再び燃焼を行うように構成したもので説明する。
【実施例１】
【００２２】
　図１〜２に示すように、焼却炉Ｍの炉本体１は、鋼板で形成されるとともに、焼却物を載置する底壁部２と、底壁部２から立ち上がって筒状に形成された周壁部３と、周壁部３の上部開口部３ａに配置された天井壁部６とを備えて構成されている。
【００２３】
　底壁部２の下方には、周壁部３の下端部と接続する下カバー４が配置され、下カバー４と底壁部２と周壁部３との間に空気室５が形成されている。空気室５には炉本体１の外部に配置された送風機１０からの空気が供給される。
【００２４】
　周壁部３の外周面には、周方向に沿って２箇所にダクト１２が上下方向に沿って配置され、ダクト１２の下端が空気室５に連接するとともに、ダクト１２の上端は周壁部３の上部まで延設している。
【００２５】
　一方、周壁部３内の上部には下邪魔板１４が天井壁６から複数のステー１５を介して垂下するように配置され、底壁部２と周壁部３と下邪魔板１４との間で一次燃焼室Ｆ１を形成している。下邪魔板１４は、円板傘状に形成され周壁部３の内周面との間に隙間を有して配置され、隙間を形成することによって一次燃焼室Ｆ１から発生する排気ガスの上方への流路としている。下邪魔板１４の上方は、周壁部３と天井壁６との間で二次燃焼室Ｆ２として形成される。
【００２６】
　周壁部３の外周面に形成されるダクト１２から、一次燃焼室Ｆ１に向かって一次用ノズル１５が周壁部３に装着され、二次燃焼室Ｆ２に向かって二次用ノズル１６が一次用ノズル１５の上方に周壁部３に装着されている。二次用ノズル１６は、一次用ノズル１５よりその開口面積を大きくして吐出量を増やしている。
【００２７】
　天井壁部６は外周縁部より中央部が上方に突出する円錐台形状に形成して、中央部を下邪魔板１４の外径より小径の開口部６ａを有して形成されている。開口部６ａの周縁に形成するスリーブ部６ｂから、前述の下邪魔板１４に向かって下方に突出する複数のステー１７と上方に向かって延設する複数のステー１９とを配置させ、ステー１９の上端部には天井壁部６の開口部６ａより大径の上邪魔板１８が配置されている。さらに、上邪魔板１８の上方には天板２０が配置されている。
【００２８】
　また、天井壁部６を覆うように上カバー２２が配置され、さらに上カバー２２の上方には上邪魔板１８及び天板２０を覆うように円筒状のフード２３が配置されている。上カバー２２にはフード２３側に向かって空気取り入れ口２４が形成され、フード２３内部を三次燃焼室Ｆ３としている。なお、周壁部３の周りにはメッシュ状の保護カバー８が配置されている。
【００２９】
　天井壁部６・下邪魔板１４・上邪魔板１８・天板２０・上カバー２２・フード２３がそれぞれ相互に一体的に組み付けられて開閉蓋２５を構成している。開閉蓋２５は、上カバー２２の一部に固着されたアーム部２６が周壁部３の上部に配置されたヒンジ部２７に軸支されて、周壁部３の上部開口部３ａを開閉できるように構成されている。上カバー２２には、外周縁部の一部にアーム部２６と離れた位置において、開閉蓋２５と周壁部３とをロックするロックレバー３３とロックレバー３３の付近に配置されて開閉蓋２５の開閉操作を行う操作ハンドル３４とが配置され、周壁部３の上部には、ロックレバー３３と係止可能な係止ピン３５が配置されている。これについては後述に詳細に説明をする。
【００３０】
　次に、上記のように構成された焼却炉Ｍの作用について簡単に説明する。
【００３１】
　開閉蓋２５を開けて炉本体１内の一次燃焼室Ｆ１に焼却物を投入して開閉蓋２５を閉じる。焼却物に点火をして、送風機１０を作動させて空気を一次燃焼室Ｆ１に送風すると焼却物は一次燃焼されるとともに、一次用ノズル１５から吐出される空気により灰と排気ガスを発生する。灰は底壁部２上に貯留され、排気ガスは下邪魔板１４の周りの隙間から二次燃焼室Ｆ２に流入する。二次燃焼室Ｆ２に流入した排気ガスは、未燃焼分が二次用ノズル１６から吐出される空気により二次燃焼する。
【００３２】
　二次燃焼した排気ガスは、天井壁部６の開口部６ａから上方に上昇し、上邪魔板１８を迂回して外方に移動する。この際、排気ガスの未燃焼分が、天井壁部６と上カバー２２との間の空気取入口２４から供給された空気と混合して、フード２３内に形成された三次燃焼室Ｆ３内で三次燃焼され、無煙・無臭となってフード２３上方から排気されることとなる。
【００３３】
　次に、上記のように構成されて作用される焼却炉Ｍにおける開閉蓋２５の自動ロック装置について図３〜１０に基づいて説明する。
【００３４】
　図３〜４に示す自動ロック装置３０は、開閉蓋２５の回動中心部、つまり、ヒンジ部２７より離れた位置にあり、開閉蓋２５の上カバー２２の外周縁部の一部位及びその対向する周壁部３の一部位には自動ロック装置３０が構成されている。自動ロック装置３０は、開閉蓋２５の上カバー２２に溶接して配置される支持枠３６と、支持枠３６に支持された枢支ピン３７と、枢支ピン３７に回動自在に支承されたロックレバー３３と、周壁部３の上部に装着された係止ピン３５とを有して構成されている。
【００３５】
　実施例の支持枠３６は、上カバー２２から外方に向かって突出するとともに下方を幅広に形成し、下部及び正面を開口して枠状に形成され、正面の開口下部に支持板３６１を装着させている。支持板３６１に枢支ピン３７を装着して枢支ピン３７にロックレバー３３が軸支されている。
【００３６】
　ロックレバー３３は、板状に形成された本体部３３１の上部を枢支ピン３７に支承されて、下部に係止ピン３５に係止可能なフック部３３２を形成している。フック部３３２は本体部３３１から、図３中、右方に突出して形成されるとともに先端部が下部から上方に向かう湾曲部３３３に形成されている。そのために、重心位置を本体部３３１の中心線より右方に偏らせるとともに湾曲部３３３によって係止ピン３５の相対的な移動案内をさせることとなる。なお、支持枠３６には、開閉蓋２５の開閉を操作する操作ハンドル３４が、上端部を支持枠３６の上壁に取り付けた状態で装着されている。
【００３７】
　係止ピン３５は、円柱状に形成されるとともに、周壁部３から枢支ピン３７と同方向に突出して配置されている。ロックレバー３３が係止ピン３５に係止した状態においては、係止ピン３５は、ロックレバー３３の本体部３３１の中心軸線より右方に配置されて、ロックレバー３３が垂直方向に垂下した状態にあることが望ましい。
【００３８】
　このロックレバー３３が、開閉蓋２５が周壁部３の上部開口部３ａ(図２参照)に対して開放した状態で、上方にある位置から、開閉蓋２５を閉じて係止ピン３５に係止するまで移動する状態を図５〜１０に基づいて説明する。
【００３９】
　図５に示すように、操作ハンドル３４を操作して開閉蓋２５を上方に上げて、周壁部３の上部開口部３ａを開放している状態では、ロックレバー３３は係止ピン３５の上方の位置にあり枢支ピン３７に支承されて自然状態で垂直方向に垂下した状態にある。そして、操作ハンドル３４を徐々に下ろして開閉蓋２５を、ヒンジ部２７(図２参照)を中心にして反時計方向に回転させると、図６に示すように、ロックレバー３３のフック部３３２の先端湾曲部３３３が係止ピン３５に当接する。
【００４０】
　ロックレバー３３の湾曲部３３３が係止ピン３５に当接し、図７に示すように、さらに開閉蓋２５を回転させて下方に移動させると、ロックレバー３３は、係止ピン３５がロックレバー３３の湾曲部３３３に沿って相対的に移動することから、枢支ピン３７を中心にして時計方向に回転し始める。続いて、さらに開閉蓋２５を下方に移動させて、ロックレバー３３をさらに時計方向に回転させると、ロックレバー３３のフック部３３２がその突出端縁３３２ａを次第に係止ピン３５に近づけることとなる。
【００４１】
　そして図８に示すように、フック部３３２の突出端縁３３２ａが係止ピン３５に係止する位置において、ロックレバー３３の時計方向の回転は最大になり、開閉蓋２５が下降して周壁部３の上端部と当接すると、ロックレバー３３のフック部３３２が係止ピン３５を越えることとなり、図９に示すように、ロックレバー３３の重心位置が本体部３３１の中心軸線より右方にあることから、ロックレバー３３は自然状態で枢支ピン３７を中心にして反時計方向に回転することとなって、ロックレバー３３の本体部３３１の腹部３３１ａが係止ピン３５に当接してロックレバー３３の移動が停止される。
【００４２】
　図９におけるロックレバー３３の位置は、フック部３３２が係止ピン３５から僅かに下方に配置されて位置にあり、フック部３３２と係止ピン３５とは完全に係止した状態にはない。しかし、開閉蓋２５を操作ハンドル３４によって、開けようとしても、図１０に示すように、ロックレバー３３がそのまま垂直方向に上昇することになり、ロックレバー３３のフック部３３２は係止ピン３５に係止することとなって、開閉蓋２５の開放を防止することとなるから、自動ロック装置３０は焼却炉Ｍの自動ロックを行うこととなる。
【実施例２】
【００４３】
　次に、開閉蓋２５の回動軸部付近、つまりヒンジ部２７付近に自動ロック装置４０を配設した第２の形態について説明する。
【００４４】
　この自動ロック装置４０は、図１１〜１２に示すように、周壁部３の外周面に溶接して固着された一対の平板ベース４１と、それぞれの平板ベース４１から外方に向かって突出して配置されている軸支持板４２と、中央部にヒンジ部４３を有するとともに、一方にウエイト４５１に連結して他方に開閉蓋２５の上カバー２２に係止する一対のクランク状のアーム部４５２を両側に備えた揺動アーム４５と、一方のアーム部４５２の開閉蓋２５側付近に配置されるロックレバー４６とを有して構成されている。
【００４５】
　軸支持板４２は、横方向に長尺の矩形板状に形成され、一端が平板ベース４１に溶着され、他端付近にヒンジ部４３を係合する溝部４２１が上面から切り欠き状に形成され、さらに溝部４２１付近には係止ピン４７が配置されている。
【００４６】
　揺動アーム４５は、一対のアーム部４５２が一方でウエイトを挟むように連結して枠状に形成され、ヒンジ部４３を中心にして揺動可能に構成されている。従って、図１１中、ウエイト４５１の自重によりヒンジ部４３を中心にして揺動アーム４５を時計方向に回転させると開閉蓋２５を開けるように作用し、操作ハンドルで開閉蓋２５を閉じると、揺動アーム４５をウエイト４５１の自重に抗して反時計方向に回転させることとなる。
【００４７】
　また、アーム部４５２は、上段横支柱４５２ａと下段横支柱４５２ｂとを縦支柱４５２ｃで連結してクランク状に形成され、一方のアーム部４５２における上段横支柱４５２ａにロックレバー４６を支承する枢支ピン部４５３が配置されている。
【００４８】
　なお、自動ロック装置４０の作用、つまり、ロックレバー４６が係止ピン４７に係止する作用は実施例１と同様であることから、説明を省略する。
【実施例３】
【００４９】
　実施例の１又は２においては、開閉蓋２５を閉じることによってロックレバー３３(又は４６)が自動的に係止ピン３５（又は４７）に係止することを説明したものであるが、この形態は、ロックレバー３３(又は４６)が係止ピン３５(又は４７)に係止した状態でロックレバー３３(又は４６)が係止解除できないように構成する一形態を示すものである。
【００５０】
　なお、以下の説明にあたっては、実施例１に基づいて説明するものであり、各部位の符号は実施例１にあわせて付記する。図１３に示すように、ロックレバー３３の本体部３３１の中央部位にはコイルばね３８の一端が掛止され、他端は掛止部材３９に掛止されている。掛止部材３９は、図１３(ａ)に示すように、ロックレバー３３に一端を掛止したコイルばね３８を牽引状態にした位置Ｐ１と、図１３(ｂ)に示すように、牽引状態を緩めた位置Ｐ２とを移動可能に配置されている。
【００５１】
　掛止部材３９が牽引位置Ｐ１に移動することによって、コイルばね３８の付勢力が強くなり、ロックレバー３３は係止ピン３５を押圧している状態にあり、ロックレバー３３を手動又は工具を介して係止ピン３５との係止を解除することができにくい。
【００５２】
　掛止部材３９が牽引を緩めた位置Ｐ２に移動することによって、コイルばね３８の付勢力は弱くなり、ロックレバー３３を係止ピン３５から容易に係止解除することができる。従って、焼却物を炉内で燃焼中は、掛止部材３９を牽引位置Ｐ１に移動させ、新たな焼却物を投入するために開閉蓋２５を開ける際には、掛止部材３９を、牽引状態を緩めた位置Ｐ２に移動してコイルばね３８を取り外すようにする。
【００５３】
　上記の掛止部材３９を２位置に移動する構成は、公知の移動手段を用いればよい。例えば、掛止部材３９の両端部あるいは一端部を２箇所に形成された溝部に係合可能に構成して、掛止部材３９をリンク機構で移動させるようにしてもよく、また掛止部材３９をシリンダ機構によって移動させてもよい。さらに、掛止部材３９をラック又はピニオンに連結してラックピニオン機構で移動させてもよい。
【実施例４】
【００５４】
　この形態は、係止ピン３５に係止したロックレバー３３の係止解除する方向には移動できないようにロックレバー係止解除規制構造を示すものであり、この形態においても実施例１の構成を使用するため、符号は実施例１で使用した部位の符号を付記するものとする。
【００５５】
　図１４〜１５に示すように、ロックレバー３３が係止ピン３５に係止する位置において、ロックレバー３３の本体部３３１の背部３３１ｂ側にロックレバー逆回動規制ピン５０を配置させている。ロックレバー逆回動規制ピン５０は、炉本体１(図１参照)内の焼却物を燃焼中に、開閉蓋２５を開けることを防止するために設けるものであって、一旦、係止ピン３５に係止したロックレバー３３を逆方向に回動させることを規制している。ロックレバー逆回動規制ピン５０は、焼却炉Ｍの周壁部３の上部に配置され、係止ピン３５と略同一の長さに形成されている。炉本体内で焼却物が燃焼を終えて新たな焼却物を投入するために開閉蓋２５を開ける際には、図１５に示すように、ロックレバー３３を枢支ピン３７に対して、枢支ピン３７の軸方向に向かって揺動可能に構成することによって、ロックレバー３３をロックレバー逆回動規制ピン５０の頭部を越えて、開閉蓋２５を開ける方向に回転させる。
【００５６】
　従って、この形態の場合、ロックレバー３３と枢支ピン３７との嵌合状態は、緩やかな嵌合を構成するために、隙間を大きく形成しておくこととなる。
【００５７】
　なお、ロックレバー逆回動規制ピン５０を周壁部３に対して着脱可能に配置することによって、ロックレバー逆回動規制ピン５０を係止ピン３５に係止したロックレバー３３の背部３３１ｂ付近に配置させることもできる。つまり、ロックレバー３３を係止ピン３５に係止させる際には、ロックレバー逆回動規制ピン５０を外しておき、ロックレバー３３が係止ピン３５に係止した後で、ロックレバー逆回動規制ピン５０を装着するようにする。
【００５８】
　さらに、ロックレバー逆回動規制ピン５０を長さ方向の中間位置で屈曲可能に形成すれば、ロックレバー３３が開閉蓋２５の開閉に伴って回動する際にロックレバー逆回動規制ピン５０を屈曲させてロックレバー３３の回動を自在とし、ロックレバー３３が係止ピン３５に係止した状態ではロックレバー逆回動規制ピン５０を伸張させて、ロックレバー３３の逆回動を規制できるようにしてもよい。
【００５９】
　また、ロックレバー３３のフック部３３２付近に本体部３３１に形成されている孔部を形成して、該孔部に出入可能なピン部をロックレバー逆回動規制ピン５０の先端部に出入可能に配置するように構成してもよい。
【００６０】
　上記のように、実施例の焼却炉の自動ロック装置３０(又は４０)では、開閉蓋２５に配置されたロックレバー３３(又は４６)は、自重によって垂下されたまま下方に移動することによって、開閉蓋２５が周壁部３の上端に当接すると、周壁部３の上端付近に配置されている係止ピン３５(又は４７)に係止してロックすることとなる。
【００６１】
　一旦、ロックしたロックレバー３３(又は４６)は、手動で係止ピン３５(又は４７)から外さない限りは係止解除できないことから、周壁部３が手で触れる程度の温度になった時点でないと操作できない。そのため、焼却物が完全燃焼した後で次の焼却物を投入することとなり、新たに制定された施行規則に遵守する構成とすることができる。
【００６２】
　また、ロックレバー３３(又は４６)が係止ピン３５に係止した状態で、ロックレバー３３をコイルばね３８で係止ピン３５(又は４７)側に牽引し、コイルばね３８の他端で掛止する掛止部材３９を牽引位置と牽引解除位置との２位置を移動可能に配置すれば、開閉蓋２５を閉塞して燃焼している間、掛止部材３９を牽引位置に移動させることによって、コイルばね３８の付勢力を強くしてロックレバー３３(又は４６)を係止ピン３５(又は４７)から解除させないようにし、また掛止部材３９を牽引解除位置に移動させることによって、次の焼却物を投入するためにコイルばね３８材の付勢力を弱めて、ロックレバー３３(又は４６)を係止ピン３５から解除してコイルばね３８を取り外せば、容易に開閉蓋２５を開けることができる。
【００６３】
　またロックレバー３３(又は４６)が係止ピン３５(又は４７)に係止した状態では、たとえ、手動によってロックレバー３３(又は４６)を係止ピン３５(又は４７)から逆方向に回動させて開閉蓋を開けようとしても、ロックレバー３３(又は４６)の背部側にはロックレバー逆回動規制ピン５０が配設されていることによって、ロックレバー３３(又は４６)は開閉蓋２５を開放する方向には回動させないことから、燃焼中に新たな焼却物を投入することを防止することができる。この場合、投入されている焼却物が完全に燃焼し終えたら、ロックレバー３３(又は４７)を、ロックレバー逆回動規制ピン５０を回避するように操作する。これによって、開閉蓋２５を開けて、新たな焼却物を投入して燃焼させることとなる。
【図面の簡単な説明】
【００６４】
【図１】本考案で使用する一形態の焼却炉を示す側面断面図である。
【図２】同一部正面断面図である。
【図３】本考案の焼却炉における自動ロック装置を示す正面図である。
【図４】図３におけるIV−IV断面図である。
【図５】図３におけるロックレバーの動きを示す作用図である。
【図６】図３におけるロックレバーの動きを示す作用図である。
【図７】図３におけるロックレバーの動きを示す作用図である。
【図８】図３におけるロックレバーの動きを示す作用図である。
【図９】図３におけるロックレバーの動きを示す作用図である。
【図１０】図３におけるロックレバーの動きを示す作用図である。
【図１１】第２の形態を示す自動ロック装置の正面図である。
【図１２】図１１におけるＡ矢視図である。
【図１３】第３の形態を示す自動ロック装置である。
【図１４】第４の形態を示す自動ロック装置である。
【図１５】図１４におけるＢ矢視図である。
【図１６】従来のロック装置を示す斜視図である。
【符号の説明】
【００６５】
　Ｍ　焼却炉
　１　炉本体
　２　底壁部
　３　周壁部
　６　天井壁部
　２２　上カバー
　２５　開閉蓋
　２７　ヒンジ部
　３０　自動ロック装置
　３３　ロックレバー(ロック爪)
　３５　係止ピン
　３８　コイルばね(牽引部材)
　３９　掛止部材
　５０　ロックレバー逆回動規制ピン(ロック爪規制ピン)                                                                               
【図１】
0003099103.tif 000003
【図２】
0003099103.tif 000004
【図３】
0003099103.tif 000005
【図４】
0003099103.tif 000006
【図５】
0003099103.tif 000007
【図６】
0003099103.tif 000008
【図７】
0003099103.tif 000009
【図８】
0003099103.tif 000010
【図９】
0003099103.tif 000011
【図１０】
0003099103.tif 000012
【図１１】
0003099103.tif 000013
【図１２】
0003099103.tif 000014
【図１３】
0003099103.tif 000015
【図１４】
0003099103.tif 000016
【図１５】
0003099103.tif 000017
【図１６】
0003099103.tif 000018